(57)【要約】【課題】  電子化された書籍又は文書をユーザが読む際に、ユーザに与えうるストレスを緩和すること。【解決手段】  電子化された書籍又は文書を表示する表示装置１において、解析部１３ａは、表示すべき書籍又は文書がユーザにより読まれる順番を解析する。領域決定部１３ｂは、解析部１３ａにより解析された順番に従って、書籍又は文書を構成する各ページにおいて優先的に表示すべき領域を決定する。表示画面１５は、書籍又は文書を構成する各ページにおいて、領域決定部１３ｂにより決定された領域を優先的に表示する。【選択図】  図１
2006236054.tif 000002
【特許請求の範囲】
【請求項１】
電子化された書籍又は文書を表示する表示装置であって、
前記表示装置は、
表示すべき書籍又は文書がユーザにより読まれる順番を解析する解析部と、
前記解析部により解析された順番に従って、書籍又は文書を構成する各ページにおいて優先的に表示すべき領域を決定する領域決定部と、
書籍又は文書を構成する各ページにおいて、前記領域決定部により決定された領域を優先的に表示する表示画面とを備える、表示装置。
【請求項２】
前記解析部は、各前記ページが縦書きか横書きかに基づいて、表示すべき書籍又は文書がユーザにより読まれる順番を解析する、請求項１に記載の表示装置。
【請求項３】
前記解析部は、各前記ページに含まれる行間に基づいて、各前記ページが縦書きか横書きかを解析する、請求項２に記載の表示装置。
【請求項４】
前記領域決定部は、
各前記ページが縦書きである場合、書籍又は文書を構成する各ページにおいて、最上段の行が含まれる領域を優先的に表示すると決定し、
各前記ページが横書きである場合、書籍又は文書を構成する各ページにおいて、右端又は左端のいずれかの行が含まれる領域を優先的に表示すると決定する、請求項２に記載の表示装置。
【請求項５】
前記表示装置は、表示すべき書籍又は文書のページを更新するためにユーザにより操作される更新指定部をさらに備え、
前記表示画面には、前記更新指定部が操作されると、書籍又は文書を構成する各ページが表示される、請求項１に記載の表示装置。
【請求項６】
前記解析部は、前記更新指定部が操作される度に、表示すべき書籍又は文書が読まれる順番を解析する、請求項５に記載の表示装置。
【請求項７】
前記表示装置は、表示すべき書籍又は文書を指定するためにユーザにより操作されるコンテンツ指定部をさらに備え、
前記解析部は、前記コンテンツ指定部が操作された後に、表示すべき書籍又は文書が読まれる順番を解析する、請求項１に記載の表示装置。
【請求項８】
前記表示装置は、前記解析部により解析された順番に従って、前記領域決定部により決定された領域を前記表示画面に表示させる駆動部をさらに備え、
前記表示画面は、互いに直交する２方向にマトリクス状に配列された所定個数の画素を含み、
前記駆動部は、前記表示画面に含まれる画素の内、所定のものを優先的に表示させる、請求項１に記載の表示装置。
【請求項９】
前記表示装置は、ユーザにより携帯可能に構成される、請求項１に記載の表示装置。
【請求項１０】
前記表示装置は、前記電子化された書籍又は文書を記憶する記憶部をさらに備える、請求項１に記載の表示装置。
【請求項１１】
前記解析部は、前記表示装置に対し着脱自在な記憶装置に格納される書籍又は文書がユーザにより読まれる順番を解析する、請求項１に記載の表示装置。
【請求項１２】
電子化された書籍又は文書をデジタル機器にて表示するための表示方法であって、
前記表示方法は、
前記デジタル機器に備わる記憶装置に記憶された書籍又は文書がユーザにより読まれる順番を解析する解析ステップと、
前記解析ステップで解析された順番に従って、書籍又は文書を構成する各ページにおいて優先的に表示すべき領域を決定する領域決定ステップと、
書籍又は文書を構成する各ページにおいて、前記領域決定ステップにより決定された領域を優先的に、前記デジタル機器に備わる表示画面に表示させる表示ステップとを備える、表示方法。
【請求項１３】
電子化された書籍又は文書をデジタル機器にて表示するためのコンピュータプログラムであって、
前記コンピュータプログラムは、
前記デジタル機器に備わる記憶装置に記憶された書籍又は文書がユーザにより読まれる順番を解析する解析ステップと、
前記解析ステップで解析された順番に従って、書籍又は文書を構成する各ページにおいて優先的に表示すべき領域を決定する領域決定ステップと、
書籍又は文書を構成する各ページにおいて、前記領域決定ステップにより決定された領域を優先的に、前記デジタル機器に備わる表示画面に表示させる表示ステップとを備える、コンピュータプログラム。
【請求項１４】
記憶媒体に記録される、請求項１０に記載のコンピュータプログラム。
【発明の詳細な説明】
【技術分野】
【０００１】
本発明は、表示装置に関し、より特定的には、電子化された書籍又は文書を表示する表示装置に関する。
【背景技術】
【０００２】
近年、多くの書籍又は文書の電子化が進んだことに伴い、このような電子化書籍又は電子化文書（以下、コンテンツと称する）を表示するために、様々なデジタル機器が市販されるようになった。このようなデジタル機器において、コンテンツを表示する手法としては、従来、以下に説明するようなものがある。
【０００３】
従来のデジタル機器は、互いに直交する２方向（つまり、縦方向及び横方向）にマトリクス状に配列された所定個数の画素を有する表示画面及びその駆動部を備える。従来のデジタル機器にはさらに、このような表示画面を制御するための表示制御部が備わる。
【０００４】
以上のようなデジタル機器において、２値のシリアルデータで表現される電子化書籍を表示する場合、表示制御部は、内部に有する横方向カウンタを、初期値の０を設定し、さらに、内部に有する縦方向カウンタを、初期値の１に設定する。ここで、横方向カウンタは、表示画面において縦方向に並ぶ画素のグループの番号を数える。また、縦方向カウンタは、表示画面において、横方向に並ぶ画素のグループの番号を数える。
【０００５】
次に、表示制御部は、外部から１ビット分のデータが送られてくると、横方向カウンタを１だけインクリメントした後、横方向カウンタの現在値が、予め定められた値でありかつ表示画面において横方向に並ぶ総画素数より小さいか否かを判断する。この判断でＹｅｓと判断した場合、縦方向カウンタ及び横方向カウンタそれぞれの現在値により特定される画素の表示処理を、今回の受信データの値に基づいて行う。
【０００６】
例えば、縦方向カウンタ及び横方向カウンタの現在値が共に１であり、今回の受信データが０である場合、表示制御部は、画素の位置（１，１）を指定するためのアドレスデータと、正電圧を印加する旨を示すＯＮとからなる表示処理データを作成し、表示画面の駆動部に渡す。
【０００７】
駆動部は、今回受け取った表示処理データをデコードし、アドレスデータにより特定される位置（１，１）の画素用の２配線に正電圧を印加する。これによって、表示画面において、アドレスデータで位置が指定される画素が黒く表示される。
【０００８】
以上のような処理を繰り返し、横方向１列分の画素について順番に表示処理を終了すると、表示制御部は、縦方向カウンタを１だけインクリメントする。表示制御部は、縦方向カウンタの現在値が、予め定められた値でありかつ表示画面において縦方向に並ぶ総画素数以下である間、縦方向カウンタの現在値で指定される画素群について順番に表示処理を行う。このような処理を繰り返すと、やがて、縦方向カウンタは、縦方向の総画素数を超えるので、このような場合、表示制御部は、次のページ分の２値データを処理するため、横方向カウンタ及び縦方向カウンタをそれぞれ初期値に設定する（例えば特許文献１を参照）。
【特許文献１】特開２００１−３１２２２７号公報
【発明の開示】
【発明が解決しようとする課題】
【０００９】
しかしながら、電子化された書籍又は文書には、縦書きのものもあれば、横書きのものもある。従って、上記のような縦方向にのみ順次的に画素群を表示するのでは、必ずしも、ユーザが各ページを読む順番と、コンテンツの表示順序とが一致しない。
【００１０】
上記のような不一致に起因して、従来のデジタル機器に採用されている各種デバイスの性能が貧弱であったり、原理的に表示に時間がかかるようなデバイスが採用されていたりすると、各ページをユーザが読める状態になるまでに時間がかかり、ユーザにストレスを与える場合があるという問題点がある。
【００１１】
それ故に本発明の目的は、ユーザに与える可能性があるストレスを緩和することができる表示装置を提供することである。
【課題を解決するための手段】
【００１２】
上記目的を達成するために、本発明の第１の局面は、電子化された書籍又は文書を表示する表示装置に向けられている。表示装置は、表示すべき書籍又は文書がユーザにより読まれる順番を解析する解析部と、解析部により解析された順番に従って、書籍又は文書を構成する各ページにおいて優先的に表示すべき領域を決定する領域決定部と、書籍又は文書を構成する各ページにおいて、領域決定部により決定された領域を優先的に表示する表示画面とを備える。
【００１３】
具体的には、解析部は、各ページが縦書きか横書きかに基づいて、表示すべき書籍又は文書がユーザにより読まれる順番を解析する。
【００１４】
解析部は、各ページに含まれる行間に基づいて、各ページが縦書きか横書きかを解析する。
【００１５】
具体的には、領域決定部は、各ページが縦書きである場合、書籍又は文書を構成する各ページにおいて、最上段の行が含まれる領域を最優的に表示すると決定し、各ページが横書きである場合、書籍又は文書を構成する各ページにおいて、右端又は左端のいずれかの行が含まれる領域を優先的に表示すると決定する。
【００１６】
表示装置は、表示すべき書籍又は文書のページを更新するためにユーザにより操作される更新指定部をさらに備える。この場合において、表示画面には、更新指定部が操作されると、書籍又は文書を構成する各ページが表示される。
【００１７】
解析部は、更新指定部が操作される度に、表示すべき書籍又は文書が読まれる順番を解析する。
【００１８】
表示装置は、表示すべき書籍又は文書を指定するためにユーザにより操作されるコンテンツ指定部をさらに備える。この場合において、解析部は、コンテンツ指定部が操作された後に、書籍又は文書が読まれる順番を解析する。
【００１９】
表示装置は、解析部により解析された順番に従って、領域決定部により決定された領域を表示画面に表示させる駆動部をさらに備える。この場合において、表示画面は、互いに直交する２方向にマトリクス状に配列された所定個数の画素を含み、駆動部は、表示画面に含まれる画素の内、所定のものを優先的に表示させる。
【００２０】
表示装置は、ユーザにより携帯可能に構成される。
【００２１】
表示装置は、電子化された書籍又は文書を記憶する記憶部をさらに備える。
【００２２】
解析部は、表示装置に対し着脱自在な記憶装置に格納される書籍又は文書がユーザにより読まれる順番を解析する。
【００２３】
また、本発明の第２の局面は、電子化された書籍又は文書をデジタル機器にて表示するための表示方法に向けられている。表示方法は、デジタル機器に備わる記憶装置に記憶された書籍又は文書をユーザが読む順番を解析する解析ステップと、解析ステップで解析された順番に従って、表示すべき書籍又は文書を構成する各ページにおいて優先的に表示すべき領域を決定する領域決定ステップと、表示すべき書籍又は文書を構成する各ページにおいて、領域決定ステップにより決定された領域を優先的に、デジタル機器に備わる表示画面に表示させる表示ステップとを備える。
【００２４】
また、本発明の第３の局面は、電子化された書籍又は文書をデジタル機器にて表示するためのコンピュータプログラムに向けられている。コンピュータプログラムは、デジタル機器に備わる記憶装置に記憶された書籍又は文書がユーザにより読まれる順番を解析する解析ステップと、解析ステップで解析された順番に従って、表示すべき書籍又は文書を構成する各ページにおいて優先的に表示すべき領域を決定する領域決定ステップと、表示すべき書籍又は文書を構成する各ページにおいて、領域決定ステップにより決定された領域を優先的に、デジタル機器に備わる表示画面に表示させる表示ステップとを備える。上記コンピュータプログラムは例示的には、記憶媒体に記録される。
【発明の効果】
【００２５】
上記のような各局面では、電子化された書籍又は文書がユーザにより読まれる順番が解析された後、解析された順番に従って、表示すべき書籍又は文書を構成する各ページにおいて優先的に表示すべき領域が決定される。さらに、表示すべき書籍又は文書を構成する各ページについては、上記のように決定された領域が優先的に表示される。
【００２６】
上記のような処理によれば、ユーザが各ページを読む順番に従って、電子化された文書又は書籍が表示されるので、ユーザに与える可能性があるストレスを緩和することができるという効果を奏する。
【００２７】
本発明の上記及びその他の目的、特徴、局面及び利点は、以下に述べる本発明の詳細な説明を添付の図面とともに理解したとき、より明らかになる。
【発明を実施するための最良の形態】
【００２８】
図１は、本発明の一実施形態に係る表示装置１のハードウェア構成を示すブロック図である。図１において、表示装置１は、例示的には電子ブック装置のように、ユーザが携帯可能なデジタル機器であって、記憶装置１１と、入力装置１２と、制御部１３と、駆動部１４と、表示画面１５とを備えている。
【００２９】
記憶装置１１は、例えば半導体メモリ、ハードディスクドライブ、ＣＤ−ＲＯＭドライブ又はＤＶＤドライブのように、コンテンツを格納可能な装置である。本実施形態において、コンテンツは、電子化された書籍又は文書を表すデータであるとする。また、記憶装置１１は、表示装置１に対して着脱自在であって、ユーザが携帯可能な種類のものであっても構わない。
【００３０】
ここで、図２Ａは、記憶装置１１に格納されるコンテンツを示す模式図である。図２Ａにはさらに、説明の便宜上、表示画面１５が図示されている。表示画面１５は、互いに直交する２方向（つまり、縦方向及び横方向）にマトリクス状に配列された所定個数の画素を有しており、後述する駆動部１４の表示制御の下、コンテンツが表す書籍又は文書を表示する。なお、図２Ａには例示的に、縦方向及び横方向のそれぞれに１０個の画素が配列されている。
【００３１】
上記のような各画素は、縦方向及び横方向の位置（ｉ，ｊ）により一意に特定される。ここで、ｉは、縦方向の位置を示し、図２Ａの例示では、１から１０までの自然数である。ｊは、横方向の位置を示し、図２Ａの例示では、１から１０までの自然数である。例えば（１，６）は、縦方向に１番目で、横方向に６番目の画素（図２においてハッチングを付けた部分を参照）の位置を示す。
【００３２】
コンテンツは、以上のような各画素の値（０又は１）を少なくとも含んでおり、さらに、各画素の位置を表示装置１が特定可能な形式を有する。例えば、画素の値が１である場合、表示画面１５において対応する画素位置が所定色でユーザにより視認されるよう処理される。それに対し、画素の値が０であれば、表示画面１５において対応する画素位置が上記の色以外でユーザに視認されるよう処理される。
【００３３】
なお、コンテンツは、上記に限らず、図２Ｂに示すように、各画素を示す色の階調（例えば１６階調）を少なくとも含んでいても構わない。
【００３４】
なお、上記のようなコンテンツは、予め記憶装置１１に格納されていても構わない。また、例えばインターネットのようなデジタルネットワーク上のサーバからデータ通信により表示装置１により取得された後、記憶装置１１に格納されても構わない。
【００３５】
入力装置１２は、本実施形態では、少なくとも２個の操作部１２ａ及び１２ｂを含む。
【００３６】
１つ目の操作部１２ａは、上記記憶装置１１に格納されておりかつ今回表示すべきコンテンツを指定するためにユーザにより操作される。つまり、操作部１２ａには、コンテンツ指定という機能が割り当てられる。
【００３７】
２つ目の操作部１２ｂは、今回表示されたコンテンツが表す書籍又は文書のページを更新するためにユーザにより操作される。つまり、操作部１２ｂには、ページ更新という機能が割り当てられる。ページ更新の典型例としては、表示すべきページを、現在のページから、次ページ、前ページ、最終ページ、最初のページ又は任意ページへの変更がある。
【００３８】
なお、以上の操作部１２ａ及び１２ｂはそれぞれ、物理的なボタン又はキーであっても良いし、ＧＵＩ（Ｇｒａｐｈｉｃａｌ  Ｕｓｅｒ  Ｉｎｔｅｒｆａｃｅ）で表現されるアイコン又はボタンであっても良い。
【００３９】
制御部１３は、例えばＣＰＵ、ＲＯＭ及びＲＡＭを含んでおり、本表示装置１の各構成を制御する。このような制御部１３は、機能的な観点からは、図１に示すように、解析部１３ａと、領域決定部１３ｂとを含む。
【００４０】
解析部１３ａは、大略的に述べると、記憶装置１１に格納されておりかつ今回表示すべきコンテンツを解析して、今回表示されるべき書籍又は文章がユーザにより読まれる順番を解析する。ここで、読む順番は、書籍又は文書に含まれる文章が縦書きであるか、横書きであるかにより特定される。
【００４１】
領域決定部１３ｂは、大略的に述べると、上記解析部１３ａにより解析された順番に従って、今回表示すべきページにおいて優先的に表示すべき領域を決定する。具体的には、少なくとも日本の場合、縦書きであれば、ユーザは、各ページの右端の行から左端の行に向けて、表示された文章を読む。ここで、行とは、各ページに含まれる文字の並びであって、一般的には、縦書きの場合において縦の並び、また、横書きの場合において横の並びを意味する。また、横書きの場合、ユーザは、各ページの上端の行から下端の行に向けて、表示された文章を読む。従って、縦書きと解析された場合、領域決定部１３ｂは、対象となるページの右端の行を含む領域を少なくとも表す部分的なデータ（以下、行データと称する）を、コンテンツからまず選択し、次回以降、今回選択された行の左隣の行を含む領域を少なくとも表す行データ（以下、次行データと称する）を順次選択する。
【００４２】
また、横書きと解析された場合、領域決定部１３ｂは、対象となるページの上端の行（つまり領域）を少なくとも表す行データを、コンテンツからまず選択し、次回以降、今回選択された行の左隣の行（つまり領域）を少なくとも表す次行データを順次選択する。
【００４３】
駆動部１４は、領域決定部１３ｂで選択された行データを受け取る度に、今回受け取ったものに従って表示制御を行って、上記のような表示画面１５に、対象となるページにおいて今回表示すべき領域（つまり行）を表示させる。
【００４４】
次に、図３のフローチャートを参照して、以上のような構成を有する表示装置１の動作について詳細に説明する。図３において、ユーザは、操作部１２ａを操作して、今回読みたい書籍又は文書を表すコンテンツを指定する。このような指定に応答して、操作部１２ａは、コンテンツを特定可能な第１のコマンドを制御部１３に送信する。制御部１３は、操作部１２ａからの第１のコマンドを取得する（ステップＳ３１）。
【００４５】
次に、制御部１３は、ステップＳ３１で取得したコマンドに基づいて、指定されたコンテンツが表す書籍又は文書を、記憶装置１１からＲＡＭに読み出す（ステップＳ３２）。
【００４６】
次に、制御部１３は、最初に表示すべきページを特定し、ＲＡＭに予約されたフレームメモリに対象となるページのデータを展開する（ステップＳ３３）。ここで、展開されたデータを模式的に表現すると、図２Ａ又は図２Ｂに示すようになる。
【００４７】
次に、制御部１３において、解析部１３ａは、ステップＳ３３で展開されたデータを解析して、今回表示されるべき文章をユーザが読む順番を解析し、解析結果を領域決定部１３ｂに渡す（ステップＳ３４）。具体的には、解析部１３ａは、公知技術に基づいて、対象となる文章が縦書きであるか、横書きであるかを特定する。
【００４８】
例えば、図２Ａに示すようなデータの場合、画素の値が１であれば文字色であり、それが０であれば文字色で無いことを意味するので、１又は０の集まり具合から行間、つまり、各ページ内の隣り合う２行の間に存在する文字が無い部分が伸びる方向を識別できるため、解析部１３ａは、対象となるページの文章が縦書きであるか横書きであるかを特定することができる。
【００４９】
また、図２Ｂに示すようなデータの場合も、高い階調又は低い階調の集まり具合から行間を識別できるため、解析部１３ｂは、対象となるページの文章が縦書きであるか、横書きであるかを特定することができる。
【００５０】
ステップＳ３４の次に、領域決定部１３ｂは、解析部１３ａによる今回の解析結果が縦書きの場合（ステップＳ３５でＹｅｓ）、ユーザが各ページの右端の行から左端の行に向けて、表示された文章を読むとみなして、対象となるページの右端の行を含む領域を少なくとも表す行データを、コンテンツから抽出し、駆動部１４に渡す。駆動部１４は、今回受け取った行データに基づいて、対象となるページの右端の行を表示画面１５に表示させる（ステップＳ３６）。
【００５１】
領域決定部１３ｂは、１行分の行データの抽出が終わると、その隣の行を含む領域を少なくとも表す次行データをコンテンツから抽出し、駆動部１４に渡す。駆動部１４は、今回受け取った次行データに基づいて、対象となるページの右端の行を表示画面１５に表示させる（ステップＳ３７）。
【００５２】
以上のようなステップＳ３７は、対象となるページに含まれる全ての行が表示されるまで続けられる（ステップＳ３８でＮｏ）。
【００５３】
以上説明したように、本表示装置１によれば、コンテンツが表す書籍又は文書においてページを表示する場合、まず、ステップＳ３４において、文章が縦書きか横書きかが解析される。
【００５４】
縦書きの場合、ステップＳ３５において、まず、ページの右端に位置すべき行を表す行データが抽出され、表示画面１５には、抽出された行データに従って、右端の行が表示される。その後、対象となるページの全行が表示されるまで、ステップＳ３７が繰り返され、その結果、図４Ａに示すように、右側の行から順番に表示画面１５に表示されていく。
【００５５】
上記のような場合、各ページは、右側に位置する行ほど優先的に表示される。つまり、ユーザが各ページを読む順番に従って、文章が表示される。これによって、ユーザに与える可能性があるストレスを緩和することができるという効果を奏する。
【００５６】
全ての行が表示されると（ステップＳ３８でＹｅｓ）、制御部１３は、操作部１２ｂが操作されることを待機する。ところで、ユーザは、例えば今回表示されたページを全て読み終えた時のように必要な場合、操作部１２ｂを操作して、表示装置１に対してページ更新を要求する。このような操作に応答して、操作部１２ｂは、次に表示すべきページを特定可能な第２のコマンドを制御部１３に送信する。制御部１３は、操作部１２ｂからの第２のコマンドを取得する（ステップＳ３９）。
【００５７】
次に、制御部１３は、ステップＳ３９で取得したコマンドに基づいて、今回表示すべきページを特定し、ＲＡＭに予約されたフレームメモリに対象となるページのデータを展開する（ステップＳ３１０）。この後、ステップＳ３４以降の処理が行われる。
【００５８】
また、ステップＳ３５でＮｏ、つまり解析部１３ａによる今回の解析結果が横書きの場合、表示装置１では、ステップＳ３１１−Ｓ３１５が行われる。ステップＳ３１１−Ｓ３１５は、ステップＳ３６−Ｓ３１０と比較すると、下記の点で相違する。
【００５９】
つまり、領域決定部１３ｂは、横書きという解析結果を受け取ると、ユーザが各ページの上端の行から下端の行に向けて、表示された文章を読むとみなすので、対象となるページの上端の行を含む領域を少なくとも表す行データを最初にコンテンツから抽出し、以降、前回抽出されたものの１行下の行を含む領域を少なくとも表す次行データを順次的に抽出し、各データを取り出すたびに駆動部１４に渡す。その結果、表示画面１５には、図４Ｂに示すように、対象となるページの上端の行から下端に向けて次々の行が表示されていく（ステップＳ３１１−Ｓ３１５）。
【００６０】
以上説明したように、横書きと解析されると、各ページは、上端側に位置する行ほど優先的に表示される。つまり、ユーザが各ページを読む順番に従って、文章が表示される。これによって、ユーザに与える可能性があるストレスを緩和することができるという効果を奏する。
【００６１】
なお、以上の実施形態では、領域決定部１３ｂは、優先的に表示すべき領域として、１行分の行データを抽出するようにしていた。しかし、これに限らず、行データは、２以上の行を含む領域であっても構わない。
【００６２】
さらに、領域決定部１３ｂは、行データではなく、少なくとも１文字を含む領域を少なくとも表す文字データを、コンテンツから抽出しても構わない。しかし、どのような場合であっても、ユーザが文章を読む順番に従って、優先的に表示すべき領域が抽出される。
【００６３】
また、駆動部１４は、例えば横書きと解析された場合に行データが与えられると、図５に示すように、最初に、縦方向に（２×ｉ−１）番目の画素群を順次的に表示するよう処理し、その後、縦方向に２×ｉ番目の画素群を順次的に表示するよう処理しても構わない。また、駆動部１４は、最初に、縦方向に２×ｉ番目の画素群を順次的に表示するよう処理し、その後、縦方向に（２×ｉ−１）番目の画素群を順次的に表示するよう処理しても構わない。なお、縦書きと解析された場合には、最初に、例えば右端から（２×ｊ−１）番目の画素群又は２×ｊ番目の画素群が順次的に表示され、その後、右端から２×ｊ番目の画素群又は（２×ｊ−１）番目の画素群を順次的に表示される。
【００６４】
上記のように、偶数番目又は奇数番目の画素群を表示することで、表示画面１５には、文字全体の外形がより早く現れるので、ユーザがいち早く文章を視認することが期待できるようになる。
【００６５】
また、駆動部１４は、例えば横書きと解析された場合に行データが与えられると、図６に示すように、文字が存在する可能性の高い、行の真ん中寄りの画素列を優先的に表示し、文字が存在する可能性の低い上端寄り又は下端寄りの画素列を非優先的に表示しても構わない。
【００６６】
上記のように、文字が存在する可能性が高い部分を優先的に表示させることで、ユーザがいち早く文章を視認することが期待できるようになる。
【００６７】
また、行データが複数回与えられたとしても、上端寄り又は下端寄りの画素列の値は変わらない場合があるので、このような行に関して、駆動部１４は、表示制御をやり直す必要はない。
【００６８】
また、以上の説明において、解析部１３ａは、ページが更新される度に、縦書きか横書きかを解析していた。しかし、書籍又は文書には全てのページが縦書きで構成されている場合もあれば、全てのページが横書きで構成されている場合もあるので、操作部１２ａが操作された後にだけ、縦書きか横書きかを解析するようにしても構わない。
【００６９】
上記のように、解析処理の回数を減らすことにより、ユーザがいち早く文章を視認することができるようになる。
【００７０】
また、表示装置１は、縦書き及び横書きのいずれでも無い場合には、周知又は公知の技術に基づいて、コンテンツの表示を行う。他にも、ユーザが飽きないように各種の特殊な手法でコンテンツは表示されても構わない。
【００７１】
また、書籍又は文書に段組（マルチカラム）がある場合にも、段（カラム）毎で、上記のような手法を適用すれば良い。
【００７２】
また、以上では、書籍又は文書が縦書きの場合、表示装置１は、右端の行から表示するとして説明した。しかし、これに限らず、表示装置１は、書籍又は文書が何語で記載されているかに応じて、左端の行から表示されても構わない。
【００７３】
また、以上の実施形態において、表示装置１は、ユーザにより携帯可能な電子ブック装置であるとして説明したが、これに限らず、以上の表示装置１の各構成は、例えば、パーソナルコンピュータ又はＰＤＡ（Ｐｅｒｓｏｎａｌ  Ｄｉｇｉｔａｌ  Ａｓｓｉｓｔａｎｔ）のようなデジタル機器に実装されても構わない。
【００７４】
また、制御部１３は、上述のようにＲＯＭに予め格納されるコンピュータプログラムに従って行っていた。しかし、これに限らず、上述のような処理はハードウェアで実現されても構わない。また、コンピュータプログラムは、ＣＤ−ＲＯＭのような記憶媒体に記録された状態で頒布されても構わない。
【００７５】
また、他にも、コンピュータプログラムは、ネットワークに接続されたサーバ装置に、端末装置がダウンロード又は可能に格納されていても構わない。
【００７６】
以上、本発明を詳細に説明したが、上記説明はあらゆる意味において例示的なものであり限定的なものではない。本発明の範囲から逸脱することなしに多くの他の改変例及び変形例が可能であることが理解される。
【産業上の利用可能性】
【００７７】
本発明に係る表示装置は、ユーザに与える可能性があるストレスを緩和することが要求される電子ブック装置等に有用である。
【図面の簡単な説明】
【００７８】
【図１】本発明の一実施形態に係る表示装置のハードウェア構成を示すブロック図
【図２Ａ】図１に示す記憶装置１１に格納されるコンテンツを示す第１の模式図
【図２Ｂ】図１に示す記憶装置１１に格納されるコンテンツを示す第２の模式図
【図３】図１に示す表示装置１の動作を示すフローチャート
【図４Ａ】図１に示す表示画面１５の状態遷移を示す第１の模式図
【図４Ｂ】図１に示す表示画面１５の状態遷移を示す第２の模式図
【図５】図１に示す駆動部１４の表示制御の一例を示す模式図
【図６】図１に示す駆動部１４の表示制御の他の例を示す模式図
【符号の説明】
【００７９】
１  表示装置
１１  記憶装置
１２  入力装置
１２ａ，１２ｂ  操作部
１３  制御部
１３ａ  解析部
１３ｂ  領域決定部
１４  駆動部
１５  表示画面
【図１】
2006236054.tif 000003
【図２Ａ】
2006236054.tif 000004
【図２Ｂ】
2006236054.tif 000005
【図３】
2006236054.tif 000006
【図４Ａ】
2006236054.tif 000007
【図４Ｂ】
2006236054.tif 000008
【図５】
2006236054.tif 000009
【図６】
2006236054.tif 000010